(57)【要約】
【課題】気泡を利用し且つ液漏れしない回転カラーディスクカラーディスプレイ装置の提供。
【解決手段】
　ベース１０底部内にモータ１１と伝動歯車モジュール１３を設けてカラーディスク２０を駆動して直立回転させる。カラーディスクは多層の透明薄板からなり、各層間に等間隔の密閉チャンバ層を形成し、異なる色液を適量の空気と共に充填する。各チャンバ空間は中央エリア２３と周辺エリア２４に分かれ、周辺エリアの密閉チャンバ内に等間隔で回転方向に傾斜した数個のスペーサを設け、カラーディスプレイの回転時に空気を連続してそれぞれ底部へ搬送して放出し、放出された空気は狭いチャンバ層内でランダムに扁平な気泡を形成して浮上し、気泡の浮上過程によってカラーディスクの中央エリアに多彩な変化の色の重なり効果を生み出してディスプレイする。
【選択図】　　　　図２
0003099795.tif 000002
【実用新案登録請求の範囲】
【請求項１】
　ベースの内部にモータを設けて歯車モジュールを駆動して歯車モジュールの一歯車がカラーディスク背面の環状歯と噛み合ってカラーディスクを駆動して直立回転させ、
　またベース上部前ハウジング面に窓を設け、窓からカラーディスクの中央エリアが見えるようにし、
　ベース上部の内面に位置決め用ローラ及び支持用ローラを環状に数個配置して、位置決め用ローラはカラーディスクの前・後の表面周辺部を均等に圧して、前後からカラーディスクを挟んでカラーディスクの直立回転を安定させ、
　カラーディスクは多層の透明薄板で構成する円盤体であって、二層の透明薄板の間に適当な幅の密閉チャンバ空間層を形成し、各チャンバ空間層内にそれぞれ異なる色液を充填するとともに適量の空気を保つようにし、各チャンバ層内部空間は中央エリアと周辺エリアに分けられ、周辺エリアに数個のスペーサを配置して数個の集気ユニットに区分し、
　カラーディスク前表面周辺部に環状リブを設け、環状リブがベース内面の数個の支持用ローラ状に懸架するようにしてカラーディスクを支持し、
　上記の構造により、回転中のカラーディスクの各チャンバ層において、周辺エリアに設けた数個の集気ユニットが、チャンバ層の上部に浮上した気泡をそれぞれ底部位置へ搬送してから放出して浮上させ、気泡を各チャンバ層内の浮上過程でランダムに変形させて、異なる色液との組み合わせで多色彩な変化効果を生み出すようにして成ることを特徴とする回転カラーディスクディスプレイ装置。
【請求項２】
　カラーディスク後方のベース内部にバックパネルを設置して成ることを特徴とする請求項１記載の回転カラーディスクディスプレイ装置。
【請求項３】
　カラーディスク後方のベース内部に環状ライトを設置して成ることを特徴とする請求項1記載の回転カラーディスクディスプレイ装置。
【請求項４】
　カラーディスク内のスペーサは円周部に等間隔に配置し、カラーディスクの回転方向へ一定角度傾斜しており、回転時に各集気ユニットが気泡を溜めるようにし、底部に近づくとスペーサの角度に沿って気泡を上に向かって放出するようにして成ることを特徴とする請求項１記載の回転カラーディスクディスプレイ装置。
【請求項５】
　カラーディスクの各チャンバ層の外周部分は幅を広くして空間を大きくし、十分な量の空気を収容するようにできるようにして成ることを特徴とする請求項１記載の回転カラーディスクディスプレイ装置。
【請求項６】
　カラーディスクの各チャンバ層の幅を中央エリアで狭くして、気泡が入るとランダム形状に押しつぶされるようにして成ることを特徴とする請求項1記載の回転カラーディスクディスプレイ装置。
【考案の詳細な説明】
【技術分野】
【０００１】
　本考案は回転カラーディスクに関し、特にカラーディスクを直立して持続回転させて、カラーディスクの各層密閉チャンバ層内の気泡を各層の異なる色液中で浮上させ、多色彩の重なり効果を生み出し、気泡は頂部へ浮上後、底部へ搬送されて放出され、循環式且つ連続式のディスプレイ機能を形成する回転カラーディスクに関する。
【背景技術】
【０００２】
　内部に異なる色液を装填して多色変化効果を呈する装飾器は既に各種の異なる設計があるが、ポンプを利用したものでは、各層に充填した異なる色液の容器底部に気泡を連続して発生させ、気泡が浮上して色液を通過する際に、圧迫作用によって色彩変化を生み出し、最後に気泡は頂部の排気口から外へ排出される。
しかし容器が傾くと容器各層内の色液も排気口から漏れやすく、運搬や使用に不便が生じる。
【０００３】
　本考案の考案者の発明では、回転盤中の二層の容器内にそれぞれ二種ずつ液体を装填し、比重の大きい液体が回転時にそれぞれ落下して色彩変化を生み出すようにしているが、気泡は利用していない。
【特許文献１】U．Ｓ．Ｐａｔ．Ｎｏ．３，９６４，１９４
【特許文献２】U．Ｓ．Ｐａｔ．Ｎｏ．５，７０６，５９４
【考案の開示】
【考案が解決しようとする課題】
【０００４】
　ポンプを利用して気泡を産出するのではなく、カラーディスクの密閉された各チャンバ層に異なる色液を充填するとともに適量の空気を保ち、本考案者発明のU．Ｓ．Ｐａｔ．Ｎｏ．５，７０６，５９４の循環式搬送原理を利用して、カラーディスク各チャンバ層内の空気を頂部から底部へ搬送して放出することにより、気泡が連続して浮上するようにし、色液が完全に密封されていないために漏出しやすいという問題を解決する。
【課題を解決するための手段】
【０００５】
　本考案は回転カラーディスクディスプレイ装置を提供する。モータと伝動歯車モジュールによってカラーディスクを駆動して直立回転させ、カラーディスク内には多層の密閉式チャンバ層を具え、各チャンバ層内にそれぞれ異なる色液と適量の空気を充填する。各チャンバ層内部空間は中央エリアと周辺エリアに分かれ、周辺エリアにスペーサで数個の集気ユニットを形成する。カラーディスクが回転すると周辺エリアの数個の集気ユニットによって、頂部に浮上した空気が底部に搬送されて放出され、循環式の作動機能を形成する。空気は各チャンバ層内で様々な形状の気泡を形成して浮上し、カラーディスクの中央エリアにランダムな多色彩の変化効果を生み出す。
【考案の効果】
【０００６】
　本考案の回転カラーディスクディスプレイ装置は、ポンプを利用せず、カラーディスクの密閉された各チャンバ層に異なる色液を充填するとともに適量の空気を保ち、各チャンバ層周辺エリアの集気ユニットを利用して、カラーディスク各チャンバ層内の空気を頂部から底部へ搬送して放出することにより、気泡が連続して浮上するため、多色彩の重なり効果を生み出し、循環式且つ連続式のディスプレイ機能を形成することができ、色液は完全に密封されて漏出することがないという利点がある。
【考案を実施するための最良の形態】
【０００７】
　本考案を実施するための最良の形態を図に沿って説明する。
　図１、２、３、４、５に示すように、本考案の回転カラーディスクディスプレイ装置１は、ベース１０とカラーディスク２０を含み、ベース１０の底部内部ににモータ１１と主動歯車１２を設け、主動歯車１２は伝動歯車１３を動かし、伝動歯車１３はカラーディスク２０背面の外周近くの環状歯列２９と噛み合って、カラーディスク２０を駆動して直立回転させる。
【０００８】
　また、ベース１０の上部前ハウジング面に円形窓１４を設け、窓１４からカラーディスク２０の中央エリア２３が見えるようにする。前方の窓１４に対応するカラーディスク２０後方箇所にバックパネル１５を設け、バックパネル１５は環状ライト１６の照明によって明るい背景を形成させることができ、窓１４からカラーディスク２０を見たときに良好な透視効果が得られる。
【０００９】
　ベース１０上部の窓１４周辺近くの内面に、環状に配置した位置決め用ローラ１７と支持用ローラ１８をそれぞれ数個設ける。数個の位置決め用ローラ１７はカラーディスク２０の前後表面の外周に近い位置を均等に圧迫し、カラーディスク２０を前後方向から回転可能に挟み、カラーディスクが安定して直立回転し、ずれないようにする。
【００１０】
　図６、７に示すように、カラーディスク２０は多層の透明薄板２１から構成する円盤体であり、２層の透明薄板２１の間に適当な幅の密閉チャンバ層２２を形成する。図では４層の透明薄板２１を使って３層のチャンバ層２２を形成している。各チャンバ層２２内に異なる色液をそれぞれ充填するとともに適量の空気を保つ。
【００１１】
　各チャンバ層２２内部空間は、中央エリア２３と周辺エリア２４に分かれ、周辺エリア２４は数個のスペーサで数個の集気ユニット２６に分けられる。スペーサ２５は円周部に等間隔に配置し、カラーディスク２０の回転方向（図６の矢印Ａ方向）へ一定角度傾斜して（径方向に対して斜めの角度）、回転時に各集気ユニット２６が気泡を溜めるようにし、底部近くまで回転するとスペーサ２５の角度に沿って気泡を逐次放出するようにする。また、各チャンバ２２の外周部分の幅を広くして大スペースの集気ゾーン２７とし、各チャンバ２２内の空気量を十分量保てるようにすることができる。
【００１２】
　カラーディスク２０前表面の外周に近い箇所に環状リブ２８を設け、図２、４に示すように環状リブ２８をベース１０内面の数個の支持用ローラ１８上に懸架するようにし、回転軸を設けないカラーディスク２０を回転可能に支持するようにできる。
【００１３】
　使用時には、直立回転中のカラーディスク２０の各チャンバ層２２は、周辺エリア２４に設けた数個の集気ユニット２６を利用して、チャンバ層２２頂部に浮上した空気（気泡）をそれぞれ底部位置まで搬送して放出することにより、循環式作動機能を形成する。
【００１４】
　各集気ユニット２６中の気泡は集気ユニット２６を離れると色液中を浮上し、各チャンバ層２２の幅に制限されて浮上中の気泡は各チャンバ層色液の中で様々に変形し、前後多層チャンバ層２２の前後交錯した色の重なりと、明るいバックパネル１５が背面から浮き立たせることにより、ランダムな動態の多色彩変化面が窓１４から見えるようにしてディスプレイ効果を達成する。
【図面の簡単な説明】
【００１５】
【図１】本考案の外観立体略図である。
【図２】本考案の側面断面略図である。
【図３】図２の局部拡大略図である。
【図４】本考案の正面透視略図である。
【図５】本考案の背面透視略図である。
【図６】本考案のカラーディスクの正面断面略図である。
【図７】図６の側面断面略図である。
【符号の説明】
【００１６】
　１  回転カラーディスクディスプレイ装置
　１０      ベース
　１１      モータ
　１２      主動歯車
　１３      伝動歯車
　１４      窓
　１５      バックパネル
　１６      環状ライト
　１７      ローラ（位置決め用）
　１８      ローラ（支持用）
　２０      カラーディスク
　２１      薄板
　２２      チャンバ層
　２３      中央エリア
　２４      周辺エリア
　２５      スペーサ
　２６      集気ユニット
　２７      集気ゾーン
　２８      環状リブ
　２９      環状歯列
【図１】
0003099795.tif 000003
【図２】
0003099795.tif 000004
【図３】
0003099795.tif 000005
【図４】
0003099795.tif 000006
【図５】
0003099795.tif 000007
【図６】
0003099795.tif 000008
【図７】
0003099795.tif 000009